(57)【要約】【課題】キノコの菌床栽培、特にビン栽培、袋栽培、箱栽培に適した、簡便でかつ均一なキノコの子実体の作製、並びにキノコ収穫時にキノコ子実体部分と培地部分を分けるための栽培用器材、当該栽培用器材を用いた簡便なキノコの栽培方法の提供。【解決手段】キノコの菌床栽培時に使用される菌糸通過性の菌掻き用シート及び菌糸通過性の収穫用シート、当該シートを用いたキノコの菌床栽培方法。当該栽培方法により、均一で整った良い形状の子実体が得られ、また、キノコ部分と培地部分を簡便かつ完全に分離することが可能となる。更に、子実体にキズをつけることなく収穫が可能となる点においても好適である。【選択図】図１
2010022367.tif 000002
【特許請求の範囲】
【請求項１】
キノコの菌床栽培時に使用される菌糸通過性の菌掻き用シート及び菌糸通過性の収穫用シート。
【請求項２】
菌糸通過性の菌掻き用シート及び菌糸通過性の収穫用シートを使用することを特徴とするキノコの菌床栽培方法。
【請求項３】
下記工程を包含することを特徴とするキノコの菌床栽培方法。
（ａ）菌床栽培用培地表面に菌糸通過性の収穫用シートを下にして、菌糸通過性の菌掻き用シート及び菌糸通過性の収穫用シートを重ねて設置する工程、
（ｂ）菌糸通過性の菌掻き用シートの上に種菌を接種する工程、
（ｃ）キノコ菌糸の生育後に菌床栽培用培地より上部の菌糸通過性の菌掻き用シートを除去する工程、及び
（ｄ）菌糸通過性の収穫用シート上に形成された子実体を菌糸通過性の収穫用シートごと収穫する工程。
【発明の詳細な説明】
【技術分野】
【０００１】
本発明は、キノコの菌床栽培、特にビン栽培、袋栽培、箱栽培に適した栽培方法及び当該方法に使用する栽培用器材に関する。
【背景技術】
【０００２】
近年、キノコの人工的な栽培が盛んになり、種々の人工的な栽培方法が開発されている。特開２００５−８０５９５号公報には、万年茸の人工的な栽培方法において、培地中にセパレーターを埋め込み、菌糸を蔓延させた後、セパレーターごとセパレーターより上部の培地を除去する。これにより露出した菌床の表面を再生させた後、当該菌床を生育ラックに移動させ、さらに生育を継続してから子実体を得ている。この方法では、培地表面に形成された菌床の塊を除去することにより、菌床へのカビや雑菌等の発生が抑制できることが記載されている。
【０００３】
特開２００５−３３３９８３号公報には、ナメコの人工的な栽培方法において、栽培ビンの遮光性キャップ上に採光用の貫通孔と通気性確保のための通気口を設け、当該貫通孔から光が照射される培地表面のみからナメコを発芽させている。その後、この貫通孔のみからナメコ子実体を生長させ、生長したナメコ子実体をキャップと共に栽培ビンから分離して収穫することが記載されている。
【０００４】
しかしながら、これらキノコの人工的な栽培では別途専用の容器や装置などが必要であり、工程数が多くなることから作業が煩雑となり、更なる改良が求められている。
【先行技術文献】
【特許文献】
【０００５】
【特許文献１】特開２００５−８０５９５号公報
【特許文献２】特開２００５−３３３９８３号公報
【発明の概要】
【発明が解決しようとする課題】
【０００６】
本発明の目的は、キノコの菌床栽培、特にビン栽培、袋栽培、箱栽培に適した簡便な栽培方法を提供することにあり、また当該方法に使用する栽培器材を提供することにある。
【課題を解決するための手段】
【０００７】
本発明者らは、キノコの菌床栽培において簡便かつ安定した子実体を得る方法及び子実体の簡便な収穫方法を鋭意検討し、本発明を完成させた。
【０００８】
すなわち本発明を概説すれば、本発明の第一の発明は、キノコの菌床栽培時に使用される菌糸通過性の菌掻き用シート及び菌糸通過性の収穫用シートに関する。
【０００９】
本発明の第二の発明は、キノコの菌床栽培方法であって、菌糸通過性の菌掻き用シート及び菌糸通過性の収穫用シートを重ねて使用することを特徴とする。
【００１０】
本発明の第三の発明は、キノコの菌床栽培方法であって、菌床栽培用培地表面に菌糸通過性の収穫用シートを下にして、菌糸通過性の菌掻き用シート及び菌糸通過性の収穫シートを重ねて設置する工程、菌糸通過性の菌掻き用シートの上にキノコの種菌を接種する工程、キノコ菌糸の生育後、菌床栽培用培地より上部の菌糸通過性の菌掻き用シートを除去する工程、及び菌糸通過性の収穫用シート上に形成された幼子実体又は子実体を菌糸通過性の収穫用シートごと収穫する工程を包含することを特徴とする。
【発明の効果】
【００１１】
本発明により、従来手作業ではムラの問題があり、自動化には専用の装置が必要であった菌掻きの簡便でかつ均一な手法が確立され、従来煩雑であった菌掻きから収穫までの作業工程が簡便化される。本発明により、菌掻き残しや菌掻きムラがなくなるため、その後の子実体を均一で整った良い形状に生育させる事が可能となる。更に、子実体の収穫において、従来、子実体部分と培地部分を完全に分離することは困難であり、食用キノコの提供のためには子実体部分より培地をきれいに除去するという工程が必要であったが、本発明により、別途培地を除去する工程を必要とせず、子実体部分と培地部分を簡便にかつ完全に分離することが可能である。更には、従来、手作業又は機械による収穫時には子実体にキズがつく場合があり、子実体の鮮度や保存期間に大きく影響を与えていたが、本発明により、子実体にキズをつけることなく収穫することが可能となる。
【図面の簡単な説明】
【００１２】
【図１】本発明の一例を示す模式図である。
【発明を実施するための形態】
【００１３】
以下、本発明を具体的に説明する。
【００１４】
本発明において、菌糸通過性の菌掻き用シート及び菌糸通過性の収穫用シート（以下、本発明のシートと記載することがある）は同一の素材や品質のものを使用してもよく、素材及び／又は品質の異なるものを組み合せて使用してもよい。本発明のシートは、菌糸通過性を有すれば良く、特に限定はないが、絹、綿、麻、紙等の天然素材、ポリエチレン、ポリプロピレン、ナイロン、レーヨン、テフロン（登録商標）等の合成素材、カーボン、ステンレス、スチール、銅、アルミニウム、チタン、セラミック等の無機素材で形成することができ、いずれも子実体は通過できないが、菌糸が伸長する際に通過できる程度の開口を多数有した多孔体であるのが好適であり、１２０℃付近で９０分程度の条件で殺菌（滅菌）が可能なシートがさらに好適である。多孔体としてはメッシュ状でも良く、例えば３０〜３００メッシュ、好ましくは５０〜２５０メッシュ、さらに好適には１００〜１７０メッシュのメッシュ状シートが使用できる。
【００１５】
また本発明のシートは重ねて使用でき、かつ培地に接触させてそのまま殺菌可能なものであればよい。本発明のシートの使用枚数に特に限定はなく、菌糸通過性の菌掻き用シート、菌糸通過性の収穫用シートをそれぞれ１枚使用してもよく、一方もしくは両方を複数枚としてもよい。好ましくはそれぞれのシートを１枚ずつ、もしくは菌糸通過性の菌掻き用シート１枚及び菌糸通過性の収穫用シート２枚が好適である。
【００１６】
さらに本発明のシートの形状は使用する栽培用容器や子実体形成時の容器の口の形状に適宜合わせればよく、丸、四角、三角等、特に限定はない。例えば栽培用容器又は容器の口の形状に合わせたものに取っ手状の部分をつけた形状や、栽培用容器又は容器の口から一部をはみ出した形状にする事により、更にシートを除去しやすくすることが可能であり、これら形状を有するものも本発明のシートに含まれる。
【００１７】
本発明のキノコの菌床栽培方法としては、栽培用容器に菌床培地を充填し、本発明の菌糸通過性の菌掻き用シート及び菌糸通過性の収穫用シートを、菌糸通過性の収穫用シートを下にして重ねて培地表面に設置した後、そのまま当該培地の殺菌（滅菌）とその後の冷却を行う。その後、菌糸通過性の菌掻き用シート上に直接種菌を接種し、キノコ菌糸の生育を行う。次に、キノコ菌糸の生育後、上部の菌糸通過性の菌掻き用シートを除去することにより菌掻きを行う。すなわち、キノコ菌床用培養基に十分キノコ菌糸が生育した時に、菌糸通過性の菌掻き用シートを除去することで、簡便にかつ均一な菌掻きを実施することができる。この際、菌糸通過性の菌掻き用シート上に培地もしくは固体種菌を接種した際の残渣培地がある場合、該培地とともに菌糸通過性の菌掻き用シートを除去することでこれらを除去することが可能である。また液体種菌を接種した際には、菌糸通過性の菌掻き用シートを除去するだけで簡便にかつ均一な菌掻きを完了することができる。
【００１８】
菌糸通過性の菌掻き用シートを除去後、所定期間所定の温度・湿度・炭酸ガス濃度の環境下で培地を保持して培養を継続し、菌糸通過性の収穫用シート上にキノコ子実体を発生させることができる。その後、菌糸通過性の収穫用シート上に形成された子実体を、菌糸通過性の収穫用シートとともにはがす事により収穫する。
【００１９】
子実体の収穫時期に特に限定はなく、使用するキノコにより最適な収穫時期を適宜選択することは当然のことである。また、本発明の栽培方法を用いることにより、子実体、更には幼子実体の状態でも、簡便に、かつ培地の付着がない状態で収穫が可能である。更に、本発明の栽培方法を用いることにより、子実体にキズをつけることなく収穫が可能である。
【００２０】
本発明が対象とするキノコの種類としては、例えばハタケシメジがあるが、これに限定されるものではなく、菌糸通過性の菌掻き用シート及び菌糸通過性の収穫用シートが適用できればよく、他に、例えばシイタケ、ナメコ、ヒラタケ、ブナシメジ、エリンギ、エノキタケ、マイタケ、ホンシメジ等が挙げられる。これらの菌床栽培において、本発明の使用以外の部分は、特に栽培条件は公知の方法から任意に選定すればよい。
【００２１】
例えば、ハタケシメジの菌床人工栽培方法は特開平０４−２１１３０８号公報に開示されており、ブナシメジの菌床人工栽培方法は、例えば特開平０５−２６８９４２号公報に開示されており、ホンシメジの菌床人工栽培方法は特開２００１−１２００５９号公報に開示されている。
【００２２】
本発明の菌糸通過性の菌掻き用シート及び菌糸通過性の収穫用シートを用いたキノコの菌床栽培方法としては、ビン栽培、袋栽培、箱栽培等があるが、一例としてハタケシメジのビン栽培について述べると、その方法とは培地調製、ビン詰め、殺菌、接種、培養、菌掻き、芽出し、生育、収穫の各工程からなる。次にこれらについて具体的に説明するが、本発明はビン栽培に限定されるものではない。
【００２３】
培地調製とは、菌床栽培に用いる各種基材、たとえば培地基材と栄養剤などを計量し、加え、かく拌し、加水してキノコの菌床栽培に適した水湿潤状態になるように水分を調整して培地を製造する工程である。
【００２４】
ビン詰めとは、培地を容器に詰める工程である。具体的には、通常４００〜２３００ｍＬ容の耐熱性広口培養ビンに調整した菌床培地を詰めた後、本発明の菌糸通過性の菌掻き用シート及び菌糸通過性の収穫用シートを培地表面に設置する工程である。調整した培地を詰めた後、圧詰し、中央部付近に１ないし複数個の孔を開けた後、本発明の菌糸通過性の菌掻き用シート及び菌糸通過性の収穫用シートを培地表面に設置してもよい。
【００２５】
殺菌（滅菌）とは、実質的に培地中のすべての微生物を死滅させる工程であり、通常、常圧殺菌では９５〜１１０℃、４〜１２時間、高圧殺菌では１０１〜１２５℃、好ましくは１２０℃で３０〜１２０分間行われる工程である。本発明においては、菌糸通過性の菌掻き用シート及び菌糸通過性の収穫用シートを培地表面に設置したまま殺菌を行うことにより、雑菌や害虫の侵入を防ぐことが可能である。
【００２６】
接種とは、上記殺菌後、２０℃程度まで放冷された培地に、予め増殖させたキノコの菌糸を無菌的に植え付ける工程であり、固体種菌又は液体種菌が使用される。本発明においては、培地表面に重ねて設置、殺菌後、放冷した本発明の菌糸通過性の菌掻き用シート及び菌糸通過性の収穫用シートの菌糸通過性の菌掻き用シート上に固体種菌及び／又は液体種菌を直接植え付けることにより行われる。
【００２７】
培養とは、キノコの菌糸を生育、熟成させる工程であり、その条件はキノコの種類により適宜選択すればよいが、通常、接種済みの培養基を１８〜２８℃、湿度４０〜８０％で菌糸を生育させる。この工程は、菌糸の生育が終了するまで任意の期間、例えば通常２０〜１２０日間行われる。
【００２８】
本発明において菌掻きとは、本発明の菌糸通過性の菌掻き用シートごと、菌糸通過性の菌掻き用シート上の菌糸を除去することにより行われる。
【００２９】
芽出しとは、子実体原基を形成させる工程であり、その条件はキノコの種類により適宜選択すればよいが、通常１０〜２０℃、好ましくは１５〜１７℃で、相対湿度８０％以上、好ましくは１００％以上で、照度１０００ルクス以下、好ましくは１０〜１００ルクスで５〜２０日間実施される。
【００３０】
生育とは、子実体原基から成熟子実体を形成させる工程であり、通常、芽出し工程とほぼ同じ条件で５〜１６日間行う。本発明においては、菌糸通過性の収穫用シート上で芽出しが開始される。
【００３１】
芽出し・生育により、菌糸通過性の収穫用シート上にキノコ子実体が形成され、菌糸通過性の収穫用シートごとキノコ子実体を収穫することにより簡便に、キノコ子実体の収穫が行われる。また、収穫されたキノコ子実体を菌糸通過性の収穫用シートごと商品容器に入れ、包装することもできる。この場合、菌糸通過性の収穫用シートを複数枚とし、包装前に培地側の菌糸通過性の収穫用シートを取り除くことにより、さらに確実に商品容器への培地の持ち込みを防ぐことが可能である。
【００３２】
これら一例として記載したビン栽培における流れを、図１に記載する。図中、シートＡは菌糸通過性の菌掻き用シート、シートＢは菌糸通過性の収穫用シートを示す。
【実施例】
【００３３】
以下に実施例をもって本発明を更に具体的に示すが、本発明は以下の実施例の範囲のみに何ら限定されるものではない。
【００３４】
実施例１
ＰＧＹ液体培地（組成：グルコース２．０％（ｗ／ｖ）、ペプトン０．２％（ｗ／ｖ）、酵母エキス０．２％（ｗ／ｖ）、ＫＨ２ＰＯ４の０．０５％（ｗ／ｖ）、及びＭｇＳＯ4・７Ｈ2Ｏの０．０５％（ｗ／ｖ）、ｐＨ６．０）１００ｍｌに、ハタケシメジＫ−３３０４（ＦＥＲＭ  ＢＰ−４３４８）を接種して、２５℃で１４日間培養し液体種菌とした。一方、ポリプロピレン製の広口培養ビン（８５０ｍｌ、信越農材（株）製）に、鋸屑（スギ材）１００ｇ、米糠８６ｇ、メタケイ酸アルミン酸マグネシウム〔富士化学工業（株）製、商品名ノイシリンＦＨ１〕２ｇ、炭酸カルシウム〔ナカライテスク（株）製、試薬一級〕５ｇ、クエン酸一水塩〔ナカライテスク（株）製、試薬一級〕３ｇ、水分含量６３％に設定し、良く混合し湿潤状態にしたものを圧詰して、中央に直径１ｃｍ程度の接種孔部を開け、打栓後、１１８℃で９０分間高圧蒸気殺菌を行い、放冷して固形培養基としたものを準備した。これに上記の液体種菌約２０ｍｌを接種し、温度２５℃、湿度５５％の条件の下、６３日間培養し、後述の固体種菌に使用した。
【００３５】
次に、ポリプロピレン製の広口培養ビン（１１００ｍｌ、ヤマダ産業（株）製）に、鋸屑（スギ材）１３４ｇ、米糠１３０ｇ、メタケイ酸アルミン酸マグネシウム〔富士化学工業（株）製、商品名ノイシリンＦＨ１〕２．６ｇ、炭酸カルシウム〔ナカライテスク（株）製、試薬一級〕６．５ｇ、クエン酸一水塩〔ナカライテスク（株）製、試薬一級〕３．９ｇ、水分含量６５％に設定し、良く混合し湿潤状態にしたものを圧詰して、穴あけ棒により中央に培地上部の口径約３ｃｍ、培地底部の直径約２ｃｍの培地底部まで貫通した接種孔部を開け、培地上に菌糸通過性の菌掻き用シート（凍結乾燥用メッシュ：日本理化学器械社製）及び菌糸通過性の収穫用シート（凍結乾燥用メッシュ：日本理化学器械社製）を菌糸通過性の菌掻き用シートを上にして載せ、打栓後、１１８℃で９０分間高圧蒸気殺菌を行い、放冷して固形培養基としたものに固体種菌を接種した。
【００３６】
種菌が接種された培地は、接種後、２３℃、湿度６０％で、暗黒下で５５日間培養した後、菌糸通過性の菌掻き用シートを菌糸通過性の菌掻き用シート上の培地ごと除去することにより菌掻きを行い、次に水道水をビン口まで加え、その後ただちに排水し、芽出し工程に供した。芽出し工程は、照度５０ルクス、温度１６℃、加湿はヒューミアイ１００〔（株）鷺宮製作所製〕の表示値として１１５〜１２０％の範囲に制御し、炭酸ガス濃度は１０００ｐｐｍ〜１５００ｐｐｍの範囲に制御した。また、結露水を避けるため、ビンは倒置し、１１日間培養を続け、子実体原基を形成させた。
【００３７】
菌糸通過性の収穫用シート上に原基が形成された培養基は、反転・正置し、前期生育工程へ移行させた。前期生育工程では、照度５００ルクス、温度１６℃、加湿はヒューミアイ１００の表示値として１１５〜１２０％の範囲に制御し、炭酸ガス濃度は１０００ｐｐｍ〜２０００ｐｐｍの範囲に制御し、６日間培養を続けた。
【００３８】
次に培養基を後期生育工程へ移行させた。後期生育工程では、照度５００ルクス、温度１６℃、加湿はヒューミアイ１００の表示値として９５〜１０５％の範囲に制御し、炭酸ガス濃度は、１０００ｐｐｍ〜２０００ｐｐｍの範囲に制御し、７日間培養を続け、菌糸通過性の収穫用シート上の子実体ごと菌糸通過性の収穫用シートをはがし、成熟子実体を得た。
【００３９】
上記記載の菌糸通過性の収穫用シートを２枚に増やして行った結果、同様に成熟子実体を得た。菌糸通過性の収穫用シートをはがす際、２枚同時にはがしたものと成熟子実体に接している上部の菌糸通過性の収穫シート１枚のみを除去したものでも同様に成熟子実体を収穫することができた。
【００４０】
上記記載の菌糸通過性の菌掻き用シート及び菌糸通過性の収穫用シートを洗濯用網袋（ポリエステル１００％、ダイヤコーポレーション社製）又は布巾（綿１００％、サンベルム社製）に変更して行った結果、同様に成熟子実体を得た。
【００４１】
実施例２
特開２００１−１２００５９号公報記載の方法に本発明の菌糸通過性の菌掻き用シート及び菌糸通過性の収穫用シートを組み合せてホンシメジの菌床人工栽培を行い、培地と分離された子実体を得ることができる。
【００４２】
実施例３
特開平０５−２６８９４２号公報記載の方法に本発明の菌糸通過性の菌掻き用シート及び菌糸通過性の収穫用シートを組み合せてブナシメジの菌床人工栽培を行い、培地と分離された子実体を得ることができる。
【産業上の利用可能性】
【００４３】
本発明により、菌糸通過性の菌掻き用シート及び菌糸通過性の収穫用シートが提供され、該菌糸通過性の菌掻き用シート及び菌糸通過性の収穫用シートを用いたキノコの菌床栽培方法が提供される。本発明の菌糸通過性の菌掻き用シート及び菌糸通過性の収穫用シートを用いたキノコの菌床栽培方法により、従来、煩雑な手作業や高価な専用の装置が必要であった菌掻きの簡便で、かつ均一な手法が確立され、菌掻きから収穫までの作業工程が簡便化される。また、均一で整った良い形状の子実体が得られ、キノコの収穫において、キノコ部分と培地部分を簡便かつ完全に分離することが可能となる。更に、子実体にキズをつけることなく収穫が可能となる点において好適である。
【図１】
2010022367.tif 000003